(57)【要約】【課題】  ケーブルと接続した際、高周波特性が悪化することがなく、安定するケーブル用コネクタを提供する。【解決手段】  同軸ケーブル用コネクタ１のスリーブ（グラウンド用コンタクト）５は、外径５ａと内径５ｂを有する。また、スリーブには、開口部５ｃが形成されている。同軸ケーブルの外部導体１４の端部が開口部に挿入されるので、同軸ケーブルをスリーブにひっかからずにスムーズに挿入することができる。開口部が存在するため、スリーブの内径と外部導体の間に形成される隙間Ｃを、小さく構成することができる。したがって、同軸ケーブルの外部導体がスリーブの中で広がらないので、高周波特性は安定する。【選択図】  図４
2006252930.tif 000002
【特許請求の範囲】
【請求項１】
ケーブルと接続するコネクタにおいて、
前記ケーブルは、中心導体と、前記中心導体を被覆する誘電体と、外部導体とを有し、
前記コネクタは、前記中心導体と接続する第１コンタクトと、前記外部導体と接続する第２コンタクトとを有し、
前記外部導体は、前記誘電体上に金属箔を巻きつけることにより構成され、
前記第２コンタクトは、前記外部導体が挿入されるスリーブを有し、
前記金属箔の端部が挿入される開口部が前記スリーブに形成されていることを特徴とするケーブル用コネクタ。
【請求項２】
前記外部導体は編組線を更に有し、前記コネクタは固定部材を更に有し、前記金属箔は前記スリーブの内部に配置され、前記編組線は前記スリーブの外部に配置され、前記編組線は前記スリーブと前記固定部材とにより挟持されることを特徴とする請求項１記載のケーブル用コネクタ。
【発明の詳細な説明】
【技術分野】
【０００１】
本発明は、同軸ケーブル等（一例としてＣＡＴＶケーブル）と接続するケーブル用コネクタに関する。
【背景技術】
【０００２】
従来の同軸ケーブル用コネクタについて図５を参照して説明する。なお、このコネクタの基礎的概略は、本発明の図１〜図３及びそれらの説明とほぼ同様である。
【０００３】
スリーブ２５は、外径２５ａと内径２５ｂを有する。スリーブ２５の内径２５ｂと同軸ケーブルの外部導体１４の間には、隙間Ｅが存在する。また、同軸ケーブルの誘電体１３と外部導体１４の間には、隙間Ｆが存在する。隙間Ｆは、インピーダンスの変化の要因となる。
【０００４】
なお、同軸ケーブル用コネクタは、本出願前に頒布された諸刊行物に記載されている（例えば、特許文献１参照。）。
【０００５】
【特許文献１】実開平５−４８２６３号公報
【発明の開示】
【発明が解決しようとする課題】
【０００６】
従来、同軸ケーブル１１を端末処理した際、図１（Ａ）における線Ａ−Ａによる断面図、すなわち、図１（Ｂ）に示されるように、外部導体１４の端部が捲かれるので、同軸ケーブル１１をスリーブ５にひっかからずにスムーズに挿入するためには、図５（Ｃ）に示されるように、スリーブ２５の内径２５ｂを大きくせざるを得ない。この結果、同軸ケーブル１１と同軸ケーブル用コネクタ１を接続した際、高周波特性が悪化する。
【０００７】
そこで、本発明は、前記従来の同軸ケーブル用コネクタの欠点を改良し、ケーブルと接続した際、高周波特性が悪化することがなく、安定するケーブル用コネクタを提供しようとするものである。
【課題を解決するための手段】
【０００８】
本発明は、前記課題を解決するため、次の手段を採用する。
【０００９】
１．ケーブルと接続するコネクタにおいて、前記ケーブルは、中心導体と、前記中心導体を被覆する誘電体と、外部導体とを有し、前記コネクタは、前記中心導体と接続する第１コンタクトと、前記外部導体と接続する第２コンタクトとを有し、前記外部導体は、前記誘電体上に金属箔を巻きつけることにより構成され、前記第２コンタクトは、前記外部導体が挿入されるスリーブを有し、前記金属箔の端部が挿入される開口部が前記スリーブに形成されているケーブル用コネクタ。
【００１０】
２．前記外部導体は編組線を更に有し、前記コネクタは固定部材を更に有し、前記金属箔は前記スリーブの内部に配置され、前記編組線は前記スリーブの外部に配置され、前記編組線は前記スリーブと前記固定部材とにより挟持される前記１記載のケーブル用コネクタ。
【発明の効果】
【００１１】
明細書の説明から明らかなように、本発明は、次の効果を奏する。
【００１２】
１．内径が小さいスリーブに、誘電体上に金属箔を巻きつけることにより構成される外部導体が挿入されるので、金属箔はスリーブ中で広がらない。したがって、高周波特性が安定する。
【００１３】
２．金属箔の端部がスリーブに形成されている開口部に挿入されるので、ケーブルをケーブル用コネクタに挿入し易い。
【００１４】
３．ケーブルをケーブル用コネクタに挿入する際、金属箔が切れ難く、また、金属箔にしわが発生し難い。
【発明を実施するための最良の形態】
【００１５】
本発明の一実施例のケーブル用コネクタについて説明する。
【実施例１】
【００１６】
本発明の実施例１の同軸ケーブル用コネクタについて図１〜図４を参照して説明する。
【００１７】
まず、同軸ケーブル１１について図１を参照して説明する。同軸ケーブル１１は、その中心から順に、中心導体１２（信号用）と、誘電体１３と、金属（銅、アルミニウム等）箔製の外部導体１４（グラウンド用）と、編組線製の外部導体１５（グラウンド用）と、外被１６とから構成される。
【００１８】
次に、同軸ケーブル用コネクタ１について図２を参照して説明する。同軸ケーブル用コネクタ１のコネクタ２に中心導体（信号用コンタクト）３が配置されている。また、シェル（グラウンド用コンタクト）６にキャップ部４が取り付けられている。更に、シェル６にスリーブ（グラウンド用コンタクトの一部）５が、中心導体３に対して直交する方向に取り付けられている。
【００１９】
続いて、同軸ケーブル１１と同軸ケーブル用コネクタ１の結線について図３を参照して説明する。同軸ケーブル１１をスリーブ５に挿入し、同軸ケーブル１１の中心導体１２と同軸ケーブル用コネクタ１の中心導体３を半田付け等により結線する。また、固定部材１７を用いて同軸ケーブル１１をスリーブ５に圧着等により結線する。同軸ケーブル１１の外部導体１４は、スリーブ５内に区間Ｄで挿入される。
【００２０】
更に、同軸ケーブル１１の外部導体１４と同軸ケーブル用コネクタ１のスリーブ５の関係について図４を参照して説明する。
【００２１】
同軸ケーブル用コネクタ１のスリーブ（グラウンド用コンタクト）５は、外径５ａと内径５ｂを有する。また、スリーブ５には、開口部５ｃが形成されている。同軸ケーブル１１の外部導体１４の端部が開口部５ｃに挿入されるので、同軸ケーブル１１をスリーブ５にひっかからずにスムーズに挿入することができる。開口部５ｃが存在するため、スリーブ５の内径５ｂと同軸ケーブル１１の外部導体１４の間に形成される隙間Ｃを、小さく構成することができる。
【００２２】
したがって、同軸ケーブル１１の外部導体１４がスリーブ５の中で広がらないので、高周波特性は安定する。
【００２３】
なお、同軸ケーブル１１の中心導体（信号用）１２は、同軸ケーブル用コネクタ１の中心導体（信号用コンタクト）３と接続する。
【００２４】
本実施例１においては、スリーブ５は、グラウンド用コンタクトの一部を構成する部材である。
【００２５】
また、スリーブ５の開口部５ｃは、スリット又は小窓等の形状から構成されるように設計変更することができる。
【００２６】
更に、同軸ケーブル１１の金属箔製の外部導体１４はスリーブ５の内部に配置され、編組線製の外部導体１５はスリーブ５の外部に配置され、外部導体１５はスリーブ５と固定部材１７とにより挟持される。
【図面の簡単な説明】
【００２７】
【図１】本発明の実施例１の同軸ケーブル用コネクタと接続する同軸ケーブルの諸図であり、（Ａ）は長さ方向の断面図、（Ｂ）は（Ａ）における線Ａ−Ａによる断面図、（Ｃ）は（Ａ）における線Ｂ−Ｂによる断面図を、それぞれ示す。
【図２】同コネクタにおける開口部、中心導体、キャップ部及びスリーブの断面図（ただし、一部は側面図）と、同ケーブルの断面図であり、同コネクタと同ケーブルの接続前の状態を示す。
【図３】図２における同コネクタと同ケーブルの接続後の断面図である。
【図４】同スリーブと同ケーブルの諸図であり、（Ａ）は同スリーブの正面図、（Ｂ）は同スリーブの一端面図、（Ｃ）は同スリーブに同ケーブルが挿入された状態の断面図を、それぞれ示す。
【図５】従来の同軸ケーブル用コネクタにおけるスリーブと同軸ケーブルの諸図であり、（Ａ）は同スリーブの正面図、（Ｂ）は同スリーブの一端面図、（Ｃ）は同スリーブに同ケーブルが挿入された状態の断面図を、それぞれ示す。
【符号の説明】
【００２８】
１  同軸ケーブル用コネクタ
２  コネクタ部
３  中心導体（信号用コンタクト、第１コンタクト）
４  キャップ部
５  スリーブ（グラウンド用コンタクトの一部）
５ａ  外径
５ｂ  内径
５ｃ  開口部
６  シェル（グラウンド用コンタクト、第２コンタクト）
１１  同軸ケーブル
１２  中心導体
１３  誘電体
１４  外部導体（金属箔製）
１５  外部導体（編組線製）
１６  外被
１７  固定部材
【図１】
2006252930.tif 000003
【図２】
2006252930.tif 000004
【図３】
2006252930.tif 000005
【図４】
2006252930.tif 000006
【図５】
2006252930.tif 000007